(57)【要約】【課題】特定のユーザに対してより効率的に情報を提供する。【解決手段】表示装置と複数の携帯端末とに接続される表示制御装置であって、複数の携帯端末を識別する情報と、複数の携帯端末と表示装置との距離を示す情報と、を含む複数の距離情報を受信する受信部１０９を備える。また、複数の距離情報を基に、携帯端末と表示装置との距離が最も短い特定携帯端末を特定する特定部を備える。また、特定携帯端末の属性情報を取得する取得部と、複数の距離情報から特定した他の携帯端末の属性情報の内、取得部で取得した属性情報に一致する一致属性情報を抽出する抽出部とを備える。また、一致属性情報に基づいて表示装置に情報を送信する送信部１１０を備える。【選択図】図２
2016177265.tif 000002
【特許請求の範囲】
【請求項１】
表示装置と複数の携帯端末とに接続される表示制御装置であって、
前記複数の携帯端末を識別する情報と、前記複数の携帯端末と前記表示装置との距離を示す情報と、を含む複数の距離情報を受信する受信部と、
前記複数の距離情報を基に、前記携帯端末と前記表示装置との距離が最も短い特定携帯端末を特定する特定部と、
前記特定携帯端末の属性情報を取得する取得部と、
前記複数の距離情報から特定した他の携帯端末の属性情報の内、前記取得部で取得した属性情報に一致する一致属性情報を抽出する抽出部と、
前記一致属性情報に基づいて前記表示装置に情報を送信する送信部と、
を備えた表示制御装置。
【請求項２】
前記複数の距離情報を蓄積する端末行動ログと、
前記表示装置に送信される情報を前記携帯端末の属性情報と関連付けて保持するコンテンツ情報ＤＢと、
前記携帯端末を所有するユーザの情報を管理する端末属性情報ＤＢと、
をさらに備えた請求項１に記載の表示制御装置。
【請求項３】
前記端末行動ログは、ビーコン毎行動テーブルを複数有している請求項２に記載の表示制御装置。
【請求項４】
前記特定携帯端末と前記表示装置との距離が変化した場合、前記特定部は、再度前記複数の携帯端末と前記表示装置との距離が最も短い別の携帯端末を特定する請求項１に記載の表示制御装置。
【請求項５】
前記取得部で取得した属性情報は、性別、年齢、職業、および趣味の少なくとも１つに関する属性である請求項１に記載の表示制御装置。
【請求項６】
前記複数の携帯端末と前記表示装置との距離を示す情報は、電波強度である請求項１に記載の表示制御装置。
【請求項７】
表示コンテンツ決定部は、前記特定部と、前記取得部と、前記抽出部とを含む請求項１に記載の表示制御装置。
【請求項８】
請求項１に記載の表示制御装置と、
表示装置と、
複数の携帯端末と、
前記複数の携帯端末と前記表示装置との距離を計測するための信号を発信するビーコンと、
を備えた表示制御システム。
【請求項９】
前記表示装置と前記ビーコンとが一体である請求項８に記載の表示制御システム。
【発明の詳細な説明】
【技術分野】
【０００１】
本開示は、デジタルサイネージ等で利用されるディスプレイを更新するための表示制御装置および表示制御システムに関する。
【背景技術】
【０００２】
従来、複数のユーザを把握してその複数のユーザに共通する属性に基づいて、デジタルサイネージから情報提供を行うものがあった。
【先行技術文献】
【特許文献】
【０００３】
【特許文献１】特開２０１１−００２７８４号公報
【発明の概要】
【発明が解決しようとする課題】
【０００４】
本開示は、特定のユーザに対してより効率的に情報を提供することができる表示制御装置および表示制御システムに関する。
【課題を解決するための手段】
【０００５】
本開示の一側面は、表示装置と複数の携帯端末とに接続される表示制御装置であって、複数の携帯端末を識別する情報と、複数の携帯端末と表示装置との距離を示す情報と、を含む複数の距離情報を受信する受信部を備える。また、複数の距離情報を基に、携帯端末と表示装置との距離が最も短い特定携帯端末を特定する特定部を備える。また、特定携帯端末の属性情報を取得する取得部と、複数の距離情報から特定した他の携帯端末の属性情報の内、取得部で取得した属性情報に一致する一致属性情報を抽出する抽出部とを備える。また、一致属性情報に基づいて表示装置に情報を送信する送信部を備える。
【発明の効果】
【０００６】
本開示は、特定のユーザに対してより効率的に情報を提供することができる。
【図面の簡単な説明】
【０００７】
【図１】実施の形態における表示制御システムの構成図
【図２】実施の形態における表示制御システムの表示制御装置の機能ブロック図
【図３】実施の形態における表示制御システムの端末行動ログの概念図
【図４】実施の形態における表示制御システムの表示制御装置の動作フロー図
【図５】実施の形態における表示制御システムの属性情報テーブルを示す図
【発明を実施するための形態】
【０００８】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために提供されるのであって、これらによって特許請求の範囲に記載の主題を限定することを意図するものではない。
【００１０】
以下、本開示の実施の形態について、図面を参照しながら説明する。
【００１１】
本実施の形態の表示制御装置を持つ表示制御システムについて、図１を用いて説明する。図１は、実施の形態における表示制御システムの構成図である。
【００１２】
表示制御システムは、表示端末１０２ａ、１０２ｂと、携帯端末１０３ａ〜１０３ｅと、ビーコン１０４ａ、１０４ｂと、サイネージサーバ１０５とから構成される。表示端末１０２ａ、１０２ｂは、店舗、または駅等の複数の場所１０１ａ、１０１ｂに設置される。携帯端末１０３ａ〜１０３ｅを、それぞれの場所に居るユーザが持つ。ビーコン１０４ａ、１０４ｂは、表示端末（デジタルサイネージ）１０２ａ、１０２ｂそれぞれの近くに配置され、携帯端末と表示端末との距離を計測するための信号を発信する。サイネージサーバ１０５は、場所１０１ａ、１０１ｂそれぞれに合ったコンテンツを表示端末１０２ａ、１０２ｂにネットワークを介して配信する表示制御装置である。
【００１３】
ビーコン１０４ａ、１０４ｂは常に各々のビーコンを識別するＩＤ（Ｉｄｅｎｔｉｆｉｃａｔｉｏｎ）（ビーコンＩＤ）を発信している。携帯端末１０３ａ〜１０３ｅには、あらかじめ、ビーコン１０４ａ、１０４ｂの信号を受信し、その信号の強さ（電波強度）を測定するアプリケーションが搭載されている。アプリケーションは、受信したビーコンのビーコンＩＤ、ビーコンＩＤの電波強度、および、携帯端末１０３ａ〜１０３ｅを識別する携帯端末ＩＤを、ネットワークを介してサイネージサーバ１０５に通知する。
【００１４】
なお、携帯端末１０３ａ〜１０３ｅは、ビーコン１０４ａ、１０４ｂから信号を受信している間、定期的にサイネージサーバ１０５にその情報を通知する。携帯端末１０３ａ〜１０３ｅは、すべてネットワークを介してサイネージサーバ１０５と通信を行うが、携帯端末１０３ａとサイネージサーバ１０５との通信以外は図示しない。
【００１５】
表示端末と携帯端末との距離を測るために、ビーコン１０４ａ、１０４ｂを設置している。距離が測れれば、ビーコン１０４ａ、１０４ｂを用いなくても、ＧＰＳ（Ｇｌｏｂａｌ  Ｐｏｓｉｔｉｏｎｉｎｇ  Ｓｙｓｔｅｍ）等を用いて相対的な距離を測ってもよい。
【００１６】
ビーコンは表示端末と一体であってもよい。
【００１７】
表示端末と携帯端末との距離の情報を、携帯端末からサイネージサーバ１０５に直接送る必要はなく、表示端末１０２ａ、１０２ｂ等を介して送信してもよい。
【００１８】
サイネージサーバ１０５は、ＣＰＵ（Ｃｅｎｔｒａｌ  Ｐｒｏｃｅｓｓｉｎｇ  Ｕｎｉｔ）１０６、メモリ１０７、ストレージ１０８、受信部１０９、および送信部１１０から構成される。受信部１０９は、携帯端末から定期的に送られるビーコンＩＤ、電波強度、および携帯端末ＩＤ等の情報を受け付ける。送信部１１０は、表示端末１０２ａ、１０２ｂに表示するコンテンツを送信する。
【００１９】
なお、表示端末１０２ａ、１０２ｂ、携帯端末１０３ａ〜１０３ｅ、ビーコン１０４ａ、１０４ｂはそれぞれ同じ構成であるため、以降の説明は、表示端末、携帯端末、ビーコンとして説明する。
【００２０】
次に、図２を用いてサイネージサーバ１０５の概要について説明する。図２は、実施の形態における表示制御システムの表示制御装置の機能ブロック図である。
【００２１】
サイネージサーバ１０５は、表示コンテンツ決定部２０１と、端末行動ログ２０２と、コンテンツ情報ＤＢ（Ｄａｔａｂａｓｅ）２０３と、端末属性情報ＤＢ２０４とで構成される。表示コンテンツ決定部２０１は、表示端末に送信するコンテンツを決める。端末行動ログ２０２は、受信部１０９が受信する携帯端末から送られるビーコンＩＤ、電波強度、および携帯端末ＩＤ等の情報を蓄積する。コンテンツ情報ＤＢ２０３は、表示端末に表示させるためのコンテンツを属性情報と関連付けて保持する。端末属性情報ＤＢ２０４は、携帯端末を所有するユーザの情報、特に属性情報を管理する。
【００２２】
表示コンテンツ決定部２０１は、ＣＰＵ１０６、およびメモリ１０７により実現される。端末行動ログ２０２、コンテンツ情報ＤＢ２０３、および端末属性情報ＤＢ２０４は、ストレージ１０８に記憶されている。
【００２３】
ここで、属性情報とは、具体的には後述するが、端末を所有するユーザの情報のことであり、例えば年齢、性別、職業、または趣味等の情報である。この属性情報を基に、表示端末に表示するコンテンツが決められている。
【００２４】
端末行動ログ２０２について図３を用いて説明する。図３は、本実施の形態における表示制御システムの端末行動ログ２０２の概念図である。
【００２５】
端末行動ログ２０２は、受信部１０９から受信したビーコンＩＤ、電波強度、および携帯端末ＩＤを管理している。端末行動ログ２０２は、ビーコン毎に情報を管理している。端末行動ログ２０２は、図３に示すビーコン毎行動テーブルを複数有している。
【００２６】
ビーコン毎行動テーブルは、更新用閾値と、参照用閾値と、距離テーブルとから構成される。
【００２７】
更新用閾値は、ユーザが表示端末のコンテンツを注視しているか否かを判断する基準である。更新用閾値は、ユーザが表示端末の非常に近くにいるか否かを判定する閾値である。つまり、更新用閾値は、ユーザが持つ携帯端末が、表示端末の近くにあるビーコンに非常に近いか否かを判定する閾値である。
【００２８】
本実施の形態では、更新用閾値は、電波強度の値の一つであり、電波強度の値がこの値より大きいときは、ユーザが表示端末に非常に近いということになる。
【００２９】
一方、参照用閾値は、ユーザが表示端末のコンテンツの見える範囲にいるか否かを判断する基準である。参照用閾値は、ユーザが表示端末の近くにいるか否かを判定する閾値である。つまり、参照用閾値は、ユーザが持つ携帯端末が、表示端末の近くにあるビーコンに近いか否かを判定する閾値である。
【００３０】
本実施の形態では、参照用閾値は、更新用閾値と同じく、電波強度の値の一つであり、電波強度の値がこの値より大きいときは、ユーザが表示端末に近いということになる。
【００３１】
なお、更新用閾値、参照用閾値で定義される携帯端末と表示端末との距離は、表示端末の大きさ、設置状況等により変化する。したがって、ビーコン毎行動テーブル毎に、更新用閾値と参照用閾値は個別に設定されている。
【００３２】
更新用閾値、参照用閾値は、例えば、更新のための距離が２ｍ、参照のための距離が５ｍのように決められた距離から、それに応じた電波強度の値によって設定する。
【００３３】
また、上記目的により、距離としては、更新用閾値が示す距離より参照用閾値が示す距離が長くなる。ただし、本実施の形態のように、電波強度で閾値を設定する場合には、更新用閾値が参照用閾値より大きい値となる。
【００３４】
距離テーブルは、電波強度の値と携帯端末ＩＤとから構成される。この例では、電波強度の値でソートしているが、ソートしていない状態でもよい。
【００３５】
なお、距離テーブルは、携帯端末から電波強度の値、および携帯端末ＩＤを受信する度に更新し、常に最新の情報を保持するようにしている。しかし、距離テーブルは、受信時刻とともに過去の情報を記憶してもよい。なお、この場合の受信時刻については、携帯端末から送信した時刻でもよいし、サイネージサーバ１０５が受信した時刻でもよい。
【００３６】
次にサイネージサーバ１０５の動作について、図４を用いて説明する。図４は、実施の形態における表示制御システムの表示制御装置の動作フロー図である。
【００３７】
サイネージサーバ１０５において、表示コンテンツ決定部２０１は表示端末毎に送信するコンテンツを決定する。このため、表示端末に対応するビーコンに対応するビーコン毎行動テーブルを基に、端末属性情報ＤＢ２０４を利用してコンテンツを決定し、決定したコンテンツを、送信部１１０を介して送信する。これにより、ビーコンＩＤ毎に図４のフローで動作を行う。
【００３８】
以下、サイネージサーバ１０５の具体的な動作について説明する。表示コンテンツ決定部２０１は、ビーコン毎行動テーブルにおいて、現在、電波強度の値が更新用閾値より大きいものの中で、電波強度の値が変化したかどうか判断する（ステップＳ４０１）。
【００３９】
判断するタイミングは、定期的であっても良いし、端末行動ログ２０２の内容が書き換わったというイベントを受けた時であっても良い。
【００４０】
電波強度の値に変化なしの場合（ステップＳ４０１においてＮｏ）、ステップＳ４０１に戻る。
【００４１】
一方、電波強度の値が変化した場合（ステップＳ４０１においてＹｅｓ）、表示コンテンツ決定部２０１は、ビーコン毎行動テーブル中で電波強度の値が最も大きい携帯端末を特定し、その携帯端末ＩＤからユーザの属性情報を取得する（ステップＳ４０２）。
【００４２】
ここで、属性情報について図５を用いて説明する。図５は、実施の形態における表示制御システムの属性情報テーブルを示す図である。
【００４３】
図５に示すように、属性情報テーブルは、携帯端末ＩＤ、と４つの属性情報である性別、年代、職業、および趣味によって構成されている。属性情報テーブルは、端末属性情報ＤＢ２０４に、携帯端末ＩＤをキーに保存されている。
【００４４】
ステップＳ４０２では、電波強度の値が最も大きい携帯端末が特定される。特定された携帯端末の携帯端末ＩＤから、表示コンテンツ決定部２０１は、属性情報を取得する（ステップＳ４０２）。
【００４５】
表示コンテンツ決定部２０１は、電波強度の値が参照用閾値より大きい携帯端末を特定し、その携帯端末ＩＤを抽出する（ステップＳ４０３）。なお、このときステップＳ４０２で特定された携帯端末ＩＤも抽出されるが、ステップＳ４０３では、ステップＳ４０２で抽出された携帯端末は抽出しない（抽出したものから除く）。
【００４６】
表示コンテンツ決定部２０１は、ステップＳ４０３で抽出した携帯端末ＩＤを基に、図５の属性情報テーブルから属性情報を取得する。表示コンテンツ決定部２０１は、取得した属性情報の中からステップＳ４０２で取得した属性情報と一致する属性情報（一致属性情報）を抽出する（ステップＳ４０４）。
【００４７】
表示コンテンツ決定部２０１は、ステップＳ４０４で抽出した属性情報を用いて、コンテンツ情報ＤＢ２０３を検索する。表示コンテンツ決定部２０１は、抽出した属性情報が合致するコンテンツを取得する。表示コンテンツ決定部２０１は、送信部１１０にビーコンＩＤに対応する表示端末にコンテンツを送信させる（ステップＳ４０５）。
【００４８】
ステップＳ４０１からステップＳ４０５を、図３に示すビーコン毎行動テーブル毎に行う。
【００４９】
このようにして送信されたコンテンツは、表示端末で表示され、コンテンツの内容が切り替わる。
【００５０】
なお、ステップＳ４０３で抽出される携帯端末ＩＤが存在しない場合、他のユーザが近くにいないという状態であるため、その１人のユーザの属性情報を一致属性情報として用いればよい。
【００５１】
また、ビーコンの電波の届く範囲がコンテンツの見える範囲と一致する場合、参照用閾値を設けなくてもよい。この場合、ステップＳ４０３において、図３におけるビーコン毎行動テーブルの距離テーブルに登録されているすべての携帯端末ＩＤを抽出して、ステップＳ４０４とステップＳ４０５を行うことも可能である。
【００５２】
ここで、一致属性情報の抽出方法について、図５を用いて具体的に説明する。例えば、電波強度が最も強い携帯端末の携帯端末ＩＤが１のユーザで、参照用閾値を超える電波強度の値を持つ携帯端末の携帯端末ＩＤが２〜４のユーザであるとする。
【００５３】
このとき、図４のステップＳ４０２において、属性情報として、男、３０代、会社員、読書が抽出される。ステップＳ４０４において、２〜４のユーザの属性情報、つまり、女、３０代、公務員、会社員、読書、旅行、園芸が抽出される。この抽出された属性情報の中から、ステップＳ４０２で抽出された属性情報と一致する情報である、３０代、会社員、読書が抽出される。表示コンテンツ決定部２０１は、この３０代、会社員、読書という属性情報にあったコンテンツをコンテンツ情報ＤＢ２０３からピックアップして表示端末に送る。
【００５４】
電波強度が変化し、電波強度が最も強い携帯端末の携帯端末ＩＤが２となった場合、一致属性情報は、女、３０代、読書となる。この一致属性情報に基づいたコンテンツが提供される。
【００５５】
なお、表示コンテンツ決定部２０１は、上記のように、一致属性情報に基づいてコンテンツを決定している。しかし、すべての一致属性情報を基に決めてもよいし、一致した人が多い属性情報を基に決めてもよい。
【００５６】
以上のように、本実施の形態のサイネージサーバ１０５に相当する表示制御装置は、表示端末１０２ａ、１０２ｂに相当する表示装置と複数の携帯端末１０３ａ〜１０３ｅとに接続される表示制御装置であって、複数の携帯端末１０３ａ〜１０３ｅを識別する携帯端末ＩＤに相当する情報と、複数の携帯端末１０３ａ〜１０３ｅと表示装置との距離を示す電波強度に相当する情報と、を含む複数の距離情報を受信する受信部１０９を備える。また、複数の距離情報を基に、携帯端末と表示装置との距離が最も短い特定携帯端末を特定する表示コンテンツ決定部２０１に相当する特定部を備える。また、特定携帯端末の属性情報を取得する表示コンテンツ決定部２０１に相当する取得部と、複数の距離情報から特定した他の携帯端末の属性情報の内、取得部で取得した属性情報に一致する一致属性情報を抽出する表示コンテンツ決定部２０１に相当する抽出部とを備える。また、一致属性情報に基づいて表示装置に情報を送信する送信部１１０を備える。
【００５７】
これにより、一致属性情報に基づいて、コンテンツが表示端末（表示装置）を介して提供されるため、表示端末（表示装置）に最も近いユーザの趣向を踏まえつつ、その周りにいるユーザに興味のあるコンテンツを提供することができる。
【００５８】
また、表示制御装置は、複数の距離情報を蓄積する端末行動ログ２０２と、表示装置に送信される情報を携帯端末の属性情報と関連付けて保持するコンテンツ情報ＤＢ２０３と、携帯端末を所有するユーザの情報を管理する端末属性情報ＤＢ２０４と、をさらに備えてもよい。これにより、距離情報と、携帯端末の属性情報と、ユーザの情報とを別々に管理することができる。
【００５９】
また、端末行動ログは、ビーコン毎行動テーブルを複数有してもよい。これにより、更新用閾値と参照用閾値を個別に設定することができる。
【００６０】
また、特定携帯端末と表示装置との距離が変化した場合、特定部は、再度複数の携帯端末と表示装置との距離が最も短い別の携帯端末を特定してもよい。これにより、一致属性情報に基づいたコンテンツが提供される。
【００６１】
また、取得部で取得した属性情報は、性別、年齢、職業、および趣味の少なくとも１つに関する属性であってもよい。これにより、属性情報を基に、表示端末に表示するコンテンツを決めることができる。
【００６２】
また、複数の携帯端末と表示装置との距離を示す情報は、電波強度であってもよい。これにより、電波強度によって、ユーザと表示装置との近さがわかる。
【００６３】
また、表示コンテンツ決定部は、特定部と、取得部と、抽出部とを含んでもよい。これにより、表示コンテンツ決定部の構成を簡単にすることができる。
【００６４】
また、本実施の形態の表示制御システムは、表示制御装置と、表示装置と、複数の携帯端末と、複数の携帯端末と表示装置との距離を計測するための信号を発信するビーコンと、を備える。これにより、表示装置に最も近いユーザの趣向を踏まえつつ、その周りにいるユーザに興味のあるコンテンツを提供することができる。
【００６５】
また、表示装置とビーコンとが一体であってもよい。これにより、表示制御システムの構成を簡単にすることができる。
【産業上の利用可能性】
【００６６】
本開示に係る表示制御装置は、例えば、店舗、または駅等に設けられるデジタルサイネージ等に利用することができる。
【符号の説明】
【００６７】
１０２ａ，１０２ｂ    表示端末
１０３ａ，１０３ｂ，１０３ｃ，１０３ｄ，１０３ｅ    携帯端末
１０４ａ，１０４ｂ    ビーコン
１０５    サイネージサーバ
１０６    ＣＰＵ
１０７    メモリ
１０８    ストレージ
１０９    受信部
１１０    送信部
２０１    表示コンテンツ決定部
２０２    端末行動ログ
２０３    コンテンツ情報ＤＢ
２０４    端末属性情報ＤＢ
【図１】
2016177265.tif 000003
【図２】
2016177265.tif 000004
【図３】
2016177265.tif 000005
【図４】
2016177265.tif 000006
【図５】
2016177265.tif 000007